(57)【特許請求の範囲】
【請求項１】
アナログ再生信号を入力し、このアナログ再生信号から、二値のデジタルデータ、及び前記デジタルデータに同期したクロックを抽出する再生信号処理装置であって、
所定周波数の固定クロックを出力するシンセサイザと、
前記アナログ再生信号及び前記シンセサイザからの固定クロックを入力し、前記固定クロックのタイミングで前記アナログ再生信号を量子化して、デジタル値の再生データを出力するＡ／Ｄ変換器と、
前記Ａ／Ｄ変換器からの再生データ、及び複数の係数を入力し、前記係数に応じて前記再生データを前記シンセサイザからの固定クロックのタイミングで等化するデジタルイコライザと、
前記デジタルイコライザにより等化処理された再生データ、及びリサンプル制御信号を入力し、前記等化処理された再生データに含まれているクロック情報にリサンプルして、リサンプルデータ及びリサンプルクロックを出力する補間器と、
前記補間器からのリサンプルデータ及びリサンプルクロックに基づいて、前記アナログ再生信号に含まれるクロック情報と前記シンセサイザの出力する固定クロックとの間の周波数比率情報を出力するタイミングリカバリ回路と、
前記タイミングリカバリ回路からの周波数比率情報及び外部信号を入力し、これらの周波数比率情報及び外部信号に基づいて、前記リサンプル制御信号を生成して前記補間器に出力すると共に、係数設定制御信号を生成して出力する制御回路と、
前記制御回路からの係数設定制御信号を入力し、この係数設定制御信号に基づいて前記複数の係数を生成して前記デジタルイコライザに出力する係数設定器とを備えた
ことを特徴とする再生信号処理装置。
【請求項２】
前記請求項１記載の再生信号処理装置において、
前記デジタルイコライザは、複数の遅延回路、複数の乗算器、及び加算器を備える
ことを特徴とする再生信号処理装置。
【請求項３】
前記請求項２記載の再生信号処理装置において、
前記デジタルイコライザは、前記備える複数の遅延回路及び前記複数の乗算器のうち、使用する個数が任意に変更可能である
ことを特徴とする再生信号処理装置。
【請求項４】
前記請求項３記載の再生信号処理装置において、
前記デジタルイコライザは、前記タイミングリカバリ回路からの周波数比率情報に基づいて、前記遅延回路及び前記乗算器の使用する個数が変更される
ことを特徴とする再生信号処理装置。
【請求項５】
前記請求項１記載の再生信号処理装置において、
前記シンセサイザは、前記アナログ再生信号に含まれるクロック情報の周波数よりも高い周波数の固定クロックを出力する
ことを特徴とする再生信号処理装置。
【請求項６】
前記請求項１記載の再生信号処理装置において、
前記係数設定器は、予め、前記デジタルイコライザの複数の係数の組を複数持っており、前記制御回路からの係数設定制御信号に応じた組の複数の係数を選択して前記デジタルイコライザに出力する
ことを特徴とする再生信号処理装置。
【請求項７】
前記請求項２記載の再生信号処理装置において、
前記係数設定器は、予め、前記Ａ／Ｄ変換器からの再生データについて波形整形を行う係数が設定されており、前記制御回路からの係数設定制御信号に応じて、備える乗算器のうち必要な個数を選択し、この選択した乗算器に対する複数の係数を演算して出力する
ことを特徴とする再生信号処理装置。
【請求項８】
前記請求項１〜７の何れか１項に記載の再生信号処理装置において、
前記アナログ再生信号は、光ディスクなどの記録媒体から再生した信号である
ことを特徴とする再生信号処理装置。
【請求項９】
前記請求項８記載の再生信号処理装置において、
前記制御回路に入力される外部信号は、前記記録媒体からデータを再生している箇所が記録媒体の内周位置であるか外周位置であるかの情報である
ことを特徴とする再生信号処理装置。
【請求項１０】
前記請求項８記載の再生信号処理装置において、
前記制御回路に入力される外部信号は、前記記録媒体の再生速度情報である
ことを特徴とする再生信号処理装置。
【請求項１１】
前記請求項８記載の再生信号処理装置において、
前記制御回路に入力される外部信号は、前記記録媒体の種類を判別した種類判別信号である
ことを特徴とする再生信号処理装置。
【請求項１２】
前記請求項１記載の再生信号処理装置において、
前記制御回路に入力される外部信号は、前記アナログ再生信号の異常を検出した異常検出信号である
ことを特徴とする再生信号処理装置。
【請求項１３】
前記請求項１２記載の再生信号処理装置において、
前記制御回路は、前記係数設定器及び前記補間器に出力するリサンプル制御信号及び係数設定制御信号の安定状態での値を記憶し、前記外部信号として異常検出信号が入力された時には一旦前記両制御信号をリセットをし、前記異常検出信号の入力がなくなった時に再度前記記憶した値のリサンプル制御信号及び係数設定制御信号を出力する
ことを特徴とする再生信号処理装置。
【発明の詳細な説明】
【技術分野】
【０００１】
本発明は、光ディスクや磁気ディスクなどの記録媒体から、その記録媒体に記録されているデータ、及びそのデータに同期した同期クロックを抽出する再生信号処理装置に関し、詳しくは波形等化するイコライザ技術に関する。
【背景技術】
【０００２】
従来、光ディスク装置等における再生信号処理装置は特許文献１に記載されている。この種の従来の再生信号処理装置の一例を図５に示す。
【０００３】
同図において、１００は光ディスク等の記録媒体、１０１は光ピックアップ、１０２はアナログフロントエンド、１０３はＡ／Ｄ変換器、１０４は補間器、１０５はデジタルイコライザ、１０６はタイミングリカバリ回路、１０７はシンセサイザ、ＲＳＤはリサンプルデータ、ＲＳＣはリサンプルクロックである。
【０００４】
記録媒体１００に書き込まれたデータを再生する際には、先ず、レーザ光を記録媒体１００に照射し、その反射光を光ピックアップ１０１で取り込み、その反射光の強弱を電気信号に変換してアナログ再生信号を生成する。この光ピックアップ１０１で得られたアナログ再生信号は、次にアナログフロントエンド１０２において信号振幅のゲイン調整や、ＤＣオフセット調整、更には波形等化及び雑音除去処理が行われる。
【０００５】
前記アナログフロントエンド１０２で波形等化処理されたアナログ再生信号は、シンセサイザ１０７が出力する固定クロックに基づいて、Ａ／Ｄ変換器１０３で量子化されて、デジタル値の再生データとなる。これより後段は、デジタル信号処理となる。補間器１０４は、前記Ａ／Ｄ変換器１０３で量子化された再生データから、タイミングリカバリ回路１０６が出力する周波数比率情報に基づいて、リサンプルデータＲＳＤ及びリサンプルクロックＲＳＣを生成し、出力する。デジタルイコライザ１０５は、前記補間器１０４からのリサンプルデータＲＳＤ及びリサンプルクロックＲＳＣを入力し、これ等について波形補正処理を施す。タイミングリカバリ回路１０６は、前記デジタルイコライザ１０５からの波形補正後のリサンプルデータＲＳＤ及びリサンプルクロックＲＳＣを入力し、これ等からクロック抽出を行って、アナログ再生信号に含まれるチャネルクロック周波数とリサンプルクロック周波数との間の周波数比率情報を出力する。
【特許文献１】特開２０００−４８４９０号公報（図１）
【発明の開示】
【発明が解決しようとする課題】
【０００６】
ところで、光ディスク等における再生信号処理装置では、タイミングリカバリ回路１０６は、その性質上、高速なクロック抽出動作が必要である。
【０００７】
しかしながら、前記図５に示した従来の再生信号処理装置では、クロック抽出を行うための補間器１０４からタイミングリカバリ回路１０６までのクロック抽出ループの途中に、デジタルイコライザ１０５が配置されていて、このデジタルイコライザ１０５が、補間器１０４からのリサンプルデータＲＳＤとリサンプルクロックＲＳＣとを用いて波形等化を行うために、タイミングリカバリ回路１０６で周波数比率情報を生成して補間器１０４で反映させるまでには、デジタルイコライザ１０５のクロックレイテンシ分だけの遅れが生じる。このことは、高倍速で動作するに際して更にパイプラインステージが増加することを考慮すると、クロックレイテンシの増加に起因してクロック抽出性能が劣化するという課題があることが判った。
【０００８】
本発明は前記の課題に着目してなされたものであり、その目的は、光ディスク等における再生信号処理装置において、デジタルイコライザ１０５の波形等化処理に拘わらず、タイミングリカバリ回路１０６による高速なクロック抽出動作を可能にして、クロック抽出性能の向上を図ることにある。
【課題を解決するための手段】
【０００９】
前記課題を解決するために、本発明では、クロック抽出ループから、レイテンシ増加の要因となるデジタルイコライザを除外し、このデジタルイコライザをアナログ再生信号に含まれるクロックとは異なる固定クロックで動作させるようにする。
【００１０】
すなわち、請求項１記載の発明の再生信号処理装置は、アナログ再生信号を入力し、このアナログ再生信号から、二値のデジタルデータ、及び前記デジタルデータに同期したクロックを抽出する再生信号処理装置であって、所定周波数の固定クロックを出力するシンセサイザと、前記アナログ再生信号及び前記シンセサイザからの固定クロックを入力し、前記固定クロックのタイミングで前記アナログ再生信号を量子化して、デジタル値の再生データを出力するＡ／Ｄ変換器と、前記Ａ／Ｄ変換器からの再生データ、及び複数の係数を入力し、前記係数に応じて前記再生データを前記シンセサイザからの固定クロックのタイミングで等化するデジタルイコライザと、前記デジタルイコライザにより等化処理された再生データ、及びリサンプル制御信号を入力し、前記等化処理された再生データに含まれているクロック情報にリサンプルして、リサンプルデータ及びリサンプルクロックを出力する補間器と、前記補間器からのリサンプルデータ及びリサンプルクロックに基づいて、前記アナログ再生信号に含まれるクロック情報と前記シンセサイザの出力する固定クロックとの間の周波数比率情報を出力するタイミングリカバリ回路と、前記タイミングリカバリ回路からの周波数比率情報及び外部信号を入力し、これらの周波数比率情報及び外部信号に基づいて、前記リサンプル制御信号を生成して前記補間器に出力すると共に、係数設定制御信号を生成して出力する制御回路と、前記制御回路からの係数設定制御信号を入力し、この係数設定制御信号に基づいて前記複数の係数を生成して前記デジタルイコライザに出力する係数設定器とを備えたことを特徴とする。
【００１１】
請求項２記載の発明は、前記請求項１記載の再生信号処理装置において、前記デジタルイコライザは、複数の遅延回路、複数の乗算器、及び加算器を備えることを特徴とする。
【００１２】
請求項３記載の発明は、前記請求項２記載の再生信号処理装置において、前記デジタルイコライザは、前記備える複数の遅延回路及び前記複数の乗算器のうち、使用する個数が任意に変更可能であることを特徴とする。
【００１３】
請求項４記載の発明は、前記請求項３記載の再生信号処理装置において、前記デジタルイコライザは、前記タイミングリカバリ回路からの周波数比率情報に基づいて、前記遅延回路及び前記乗算器の使用する個数が変更されることを特徴とする。
【００１４】
請求項５記載の発明は、前記請求項１記載の再生信号処理装置において、前記シンセサイザは、前記アナログ再生信号に含まれるクロック情報の周波数よりも高い周波数の固定クロックを出力することを特徴とする。
【００１５】
請求項６記載の発明は、前記請求項１記載の再生信号処理装置において、前記係数設定器は、予め、前記デジタルイコライザの複数の係数の組を複数持っており、前記制御回路からの係数設定制御信号に応じた組の複数の係数を選択して前記デジタルイコライザに出力することを特徴とする。
【００１６】
請求項７記載の発明は、前記請求項２記載の再生信号処理装置において、前記係数設定器は、予め、前記Ａ／Ｄ変換器からの再生データについて波形整形を行う係数が設定されており、前記制御回路からの係数設定制御信号に応じて、備える乗算器のうち必要な個数を選択し、この選択した乗算器に対する複数の係数を演算して出力することを特徴とする。
【００１７】
請求項８記載の発明は、前記請求項１〜７の何れか１項に記載の再生信号処理装置において、前記アナログ再生信号は、光ディスクなどの記録媒体から再生した信号であることを特徴とする。
【００１８】
請求項９記載の発明は、前記請求項８記載の再生信号処理装置において、前記制御回路に入力される外部信号は、前記記録媒体からデータを再生している箇所が記録媒体の内周位置であるか外周位置であるかの情報であることを特徴とする。
【００１９】
請求項１０記載の発明は、前記請求項８記載の再生信号処理装置において、前記制御回路に入力される外部信号は、前記記録媒体の再生速度情報であることを特徴とする。
【００２０】
請求項１１記載の発明は、前記請求項８記載の再生信号処理装置において、前記制御回路に入力される外部信号は、前記記録媒体の種類を判別した種類判別信号であることを特徴とする。
【００２１】
請求項１２記載の発明は、前記請求項１記載の再生信号処理装置において、前記制御回路に入力される外部信号は、前記アナログ再生信号の異常を検出した異常検出信号であることを特徴とする。
【００２２】
請求項１３記載の発明は、前記請求項１２記載の再生信号処理装置において、前記制御回路は、前記係数設定器及び前記補間器に出力するリサンプル制御信号及び係数設定制御信号の安定状態での値を記憶し、前記外部信号として異常検出信号が入力された時には一旦前記両制御信号をリセットをし、前記異常検出信号の入力がなくなった時に再度前記記憶した値のリサンプル制御信号及び係数設定制御信号を出力することを特徴とする。
【００２３】
以上により、請求項１〜１３記載の発明の再生信号処理装置では、レイテンシ増加の要因となるデジタルイコライザがクロック抽出ループから除外されて、補間器からのリサンプルデータ及びリサンプルクロックが直接にタイミングリカバリ回路に入力されるので、従来のようにデジタルイコライザでのクロックレイテンシ分だけの遅れは生じず、その時間分、タイミングリカバリ回路の応答性がより一層に高速となって、タイミングリカバリ回路からの周波数比率情報がより早く補間器で反映されて、クロック抽出性能が向上する。
【００２４】
特に、本発明では、デジタルイコライザはシンセサイザの固定クロックで動作するものの、タイミングリカバリ回路からの周波数比率情報に応じて係数が更新されるので、効率良く波形等化が行われる。
【発明の効果】
【００２５】
以上説明したように、請求項１〜１３記載の発明の再生信号処理装置によれば、クロック抽出ループからデジタルイコライザを除外し、このデジタルイコライザをアナログ再生信号に含まれるクロックとは異なる固定クロックで動作させたので、タイミングリカバリ回路の応答性をより一層に高速にできて、クロック抽出性能の向上を図ることができる。
【００２６】
特に、本発明によれば、デジタルイコライザの係数をタイミングリカバリ回路からの周波数比率情報に応じて更新したので、効率良い波形等化が可能である。
【発明を実施するための最良の形態】
【００２７】
以下、本発明の再生信号処理装置の実施形態を、図面を参照しながら説明する。
【００２８】
（実施の形態１）
図１は本発明の第１の実施形態の再生信号処理装置の構成を示す。
【００２９】
同図において、１はＡ／Ｄ変換器、７は所定周波数のクロック（以下、固定クロックという）ＣＬＫを生成して出力するシンセサイザであって、前記Ａ／Ｄ変換器１は、アナログ再生信号と前記シンセサイザ７からの固定クロックＣＬＫとを受けて、前記アナログ再生信号を固定クロックＣＬＫの立上り又は立下り等の所定タイミングで量子化して、デジタルの再生データを出力する。前記アナログ再生信号は、同図には図示しないが、図５に示したアナログフロントエンド１０２が光ディスク等の記録媒体１００からのアナログ再生信号に対して雑音除去処理等を行って出力する再生信号である。また、前記シンセサイザ７が生成する固定クロックＣＬＫの周波数は、予め、前記アナログ再生信号に含まれるクロック情報が示す周波数よりも高い周波数に設定されている。
【００３０】
また、図１において、２は波形等化を行うデジタルイコライザ、３は補間器、４はタイミングリカバリ回路、５は制御回路である。前記補間器３は、デジタルイコライザ２からの波形等化処理された再生データ（後述）を受けて、前記タイミングリカバリ回路４から出力される周波数比率情報４ａ（具体的には、後述するように、制御回路５からのリサンプル制御信号５ａ）に基づいて、前記受けた再生データに含まれるクロック情報にリサンプルして、リサンプルデータＲＳＤ及びリサンプルクロックＲＳＣを出力する。前記タイミングリカバリ回路４は、前記補間器３からのリサンプルデータＲＳＤ及びリサンプルクロックＲＳＣに基づいて、前記アナログ再生信号に含まれるチャネルクロック周波数と前記シンセサイザ７の固定クロックＣＬＫとの間の周波数比率情報４ａを算出する。前記制御回路５は、前記タイミングリカバリ回路４からの周波数比率情報４ａと、外部からの所定内容の外部信号と、前記シンセサイザ７からの固定クロックＣＬＫとを受け、前記周波数比率情報４ａ及び外部信号に基づいてリサンプル制御信号５ａを生成し、このリサンプル制御信号５ａを前記補間器３に出力する。
【００３１】
前記補間器３、タイミングリカバリ回路４及び制御回路５によりクロック抽出ループが形成される。前記補間器３は、一般的な構成を有し、その詳細は例えばIEEE TRANSACTIONS ON COMMUNICATIONS, VOL.41, NO.3, MARCH 1993や、IEEE TRANSACTIONS ON COMMUNICATIONS, VOL.41, NO.6, JUNE 1993に記載されている。
【００３２】
そして、前記波形整形（波形等化）を行うデジタルイコライザ２は、前記クロック抽出ループから除外されて、前記Ａ／Ｄ変換器１の後段で且つ補間器３の前段に配置される。６は、前記デジタルイコライザ２の係数を出力する係数設定器である。前記制御回路５は、既述の通りリサンプル制御信号５ａを生成すると共に、更に前記外部信号及び前記タイミングリカバリ回路４からの周波数比率情報４ａに基づいて係数設定制御信号５ｂを生成し、この係数設定制御信号５ｂを前記係数設定器６に出力する。
【００３３】
前記デジタルイコライザ２の内部構成例を図２に示す。同図において、２０１ａ〜２０１ｌは、図１に示したシンセサイザ７の固定クロックＣＬＫで動作するフリップフロップ回路（遅延回路）であって、フリップフロップ回路２０１ｌを除くフリップフロップ回路２０１ａ〜２０１ｋは直列接続され、最初段のフリップフロップ回路２０１ａにはＡ／Ｄ変換器１からの再生データが入力される。２０２ａ〜２０２ｋは乗算器であって、対応するフリップフロップ回路２０１ａ〜２０１ｋからの遅延再生データと、この遅延再生データに対応する係数Ｓａ〜Ｓｋとを乗じる。前記係数Ｓａ〜Ｓｋは、図1に示した係数設定器６が出力するデジタルイコライザ２の係数である。２０３は加算器であって、前記１１個の乗算器２０２ａ〜２０２ｋからの乗算結果を全て加算する。この加算器２０３の加算結果は、フリップフロップ回路２０１ｌに出力されて１クロック分遅延され、このフリップフロップ回路２０１ｌの出力が、等化処理された再生データとして、前記補間器３に出力される。尚、図２では、乗算器２０２ａ〜２０２ｋの個数を１１個としたが、この個数には限定されない。
【００３４】
前記デジタルイコライザ２の係数設定値の設定例を図３に示す。同図において、横軸は乗算器２０２ａ〜２０２ｋに対応するタップ番号、縦軸は各々のタップ番号に対応するタップ係数Ｓａ〜Ｓｋの値である。これ等のタップ係数Ｓａ〜Ｓｋの設定方法の一例を図３を用いて説明する。図１に示した係数設定器６は、再生データの等化レベルに応じて、図３に示すような３種類のタップ係数設定曲線を予め持っている。これらの設定曲線は、各々、１１個のタップ係数Ｓａ〜Ｓｋの値を連ねた１組の係数設定曲線である。尚、これらの各組の設定曲線は３種類に限られず、実際には４種類以上の複数の曲線を用意することができる。また、これらのタップ係数設定曲線は、等化データに群遅延を生じさせないように、センタータップを中心とする左右対称に設定される。更に、図３では、奇数個の設定曲線を示したが、実際には左右対称であれば、偶数個であっても問題ない。制御回路５は、前記タイミングリカバリ回路４の周波数比率情報４ａに基づいて係数設定制御信号５ｂを出力し、係数設定器６は、この係数設定制御信号５ｂに応じて、３種のタップ係数設定曲線のうち適切な１種の設定曲線を選択し、この設定曲線に含まれる１組の係数Ｓａ〜Ｓｋをデジタルイコライザ２に出力する。従って、タイミングリカバリ回路４の周波数比率情報４ａに基づいてデジタルイコライザ２の係数が適切に設定されるので、再生データを適切な等化データに変換することが可能である。尚、係数設定器６は、各組（各係数設定曲線）に属する複数のタップ係数Ｓａ〜Ｓｋの値をその都度演算して出力しても良い。
【００３５】
（実施の形態２）
次に、第２の実施形態における再生信号処理装置について説明する。
【００３６】
本実施形態は、デジタルイコライザ２のタップ係数を変更するものである。即ち、実施形態１を説明した図３ではタップ係数Ｓａ〜Ｓｋを１１個に設定したが、本実施形態では、光ディスク等のデータ再生速度に応じて、使用するタップ係数の数を調整する。
【００３７】
具体的に図４を用いてタップ係数設定方法を説明する。例えば、光ディスク等のデータ再生速度に応じて必要なタップ係数が５個になった場合には、タップ係数Ｓａ〜Ｓｅまでを用い、センタータップをタップ係数Ｓｃとして係数設定曲線に合わせることにより、５個のタップ係数Ｓａ〜Ｓｅを設定することが可能である。この場合、残るタップ係数Ｓｆ〜Ｓｋはゼロに設定される。光ディスク等のデータ再生速度情報は、図１に示した外部信号として、制御回路５に入力され、この制御回路５がその再生速度情報に応じた係数設定制御信号５ｂを係数設定器６に対して出力する。
【００３８】
従って、本実施形態では、外部情報に基づいて、デジタルイコライザ２の構成及びタップ係数を可変に設定できるので、光ディスク等の再生データを適切な等化データに変換することが可能である。
【００３９】
（実施の形態３）
続いて、本発明の第３の実施形態における再生信号処理装置について図１を用いて説明する。
【００４０】
本実施形態では、光ディスク等の記録媒体からデータを再生している箇所が記録媒体の内周位置であるか外周位置であるかの情報にも基づいて、デジタルイコライザ２の係数を設定するものである。
【００４１】
すなわち、光ディスク等からデータを再生するに際して、その再生箇所が内周位置か外周位置かによってアナログ再生信号に含まれる周波数情報が異なるため、デジタルイコライザ２のタップ係数を変更して、適切な等化処理を行うものである。この内周位置か外周位置かの情報は、図１の外部信号として、制御回路５に入力される。尚、内周位置か外周位置かの情報だけでなく、例えばＤＶＤではＺＣＬＶなどのように、再生場所に応じて周波数情報が異なることを検出し、外部信号として、制御回路５に入力しても良い。
【００４２】
従って、本実施形態では、外部情報に基づいて、デジタルイコライザ２の構成及び係数を可変設定することにより、再生データを適切な等化データに変換することが可能である。
【００４３】
（実施の形態４）
更に、本発明の第４の実施形態における再生信号処理装置について図１を用いて説明する。
【００４４】
本実施形態では、光ディスク等の種類を判別した種類判別信号に基づいて、デジタルイコライザ２の係数を設定するものである。
【００４５】
すなわち、本実施形態では、例えばＣＤとＤＶＤでは、１倍速再生時のアナログ再生信号に含まれる周波数情報が異なるため、デジタルイコライザ２のタップ係数を記録媒体の種類に応じて変更して、適切な等化処理を行う。この光ディスク等の種類の判別情報は、外部信号として、図１の制御回路５に入力される。
【００４６】
従って、本実施形態においても、外部情報に基づいて、デジタルイコライザ２の構成及び係数を可変設定することにより、再生データを適切な等化データに変換することが可能である。
【００４７】
（実施の形態５）
次に、本発明の第５の実施形態における再生信号処理装置について図１を用いて説明する。
【００４８】
本実施形態では、光ディスク等のデータ再生速度の倍速情報を用いて、デジタルイコライザ２の係数設定を行うものである。ＤＶＤの場合、最大１６倍速まで再生することがあるため、デジタルイコライザ２のタップ係数を倍速情報に応じて変更して、適切な等化処理を行う。この光ディスク等の再生速度の倍速情報は、外部信号として、図１の制御回路５に入力される。
【００４９】
従って、本実施形態においても、外部情報に基づいて、デジタルイコライザ２の構成及び係数を可変設定することにより、再生データを適切な等化データに変換することが可能である。
【００５０】
（実施の形態６）
続いて、本発明の第６の実施形態における再生信号処理装置について図１を用いて説明する。
【００５１】
本実施形態では、アナログ再生信号の異常を検出した異常検出信号を用いて、デジタルイコライザ２の係数設定を行うものである。例えば、光ディスク等では指紋や傷がディスク表面に付き易いため、その表面の汚れの程度がひどくなると、再生信号に支障を来すことがあり、この場合には、タイミングリカバリ回路４で正確なクロック抽出が行えなくなることがある。本実施形態では、この場合に対処して、デジタルイコライザ２のタップ係数をゼロにリセットして、再度、等化処理を行うものである。この異常検出信号は、外部信号として、図１の制御回路５に入力される。
【００５２】
従って、本実施形態においても、外部情報に基づいて、デジタルイコライザ２の構成及び係数を可変設定することにより、再生データを適切な等化データに変換することが可能である。
【００５３】
（実施の形態７）
最後に、本発明の第７の実施形態における再生信号処理装置について図１を用いて説明する。
【００５４】
本実施形態では、前記第６の実施の形態で説明した異常検出信号が外部信号として制御回路５に入力された場合に、制御回路５は、デジタルイコライザ２のタップ係数をゼロにリセットするが、この際に、それまで安定して動作していたデジタルイコライザ２のタップ係数を記憶するように係数設定器６への係数設定制御信号５ｂと、補間器３へのリサンプル制御信号５ａとを記憶しておき、再度、再生処理を行う際には、この記憶しておいた係数設定制御信号５ｂ及びリサンプル制御信号５ａを使用して、デジタルイコライザ２のリセット直前のタップ係数を用いる。
【００５５】
従って、本実施形態では、素早く係数更新を行うことが可能である。
【産業上の利用可能性】
【００５６】
以上説明したように、本発明は、デジタルイコライザによる波形等化を良好に行いつつ、補間器とタイミングリカバリ回路との間のクロック抽出ループから前記デジタルイコライザを除外したので、前記タイミングリカバリ回路の応答速度をより一層に高速度にできて、クロック抽出性能の高い効率の良い光ディスク等の記録媒体の再生信号処理装置等の用途に適用できる。
【図面の簡単な説明】
【００５７】
【図１】本発明の第１の実施形態の再生信号処理装置の構成を示す図である。
【図２】同再生信号処理装置に備えるデジタルイコライザの内部構成例を示す図である。
【図３】同デジタルイコライザのタップ係数の設定の一例を示す図である。
【図４】同デジタルイコライザのタップ係数の設定の他の一例を示す図である。
【図５】従来の光ディスクの再生信号処理装置の構成の一例を示す図である。
【符号の説明】
【００５８】
１                      Ａ／Ｄ変換器
２                      デジタルイコライザ
３                      補間器
４                      タイミングリカバリ回路
５                      制御回路
６                      係数設定器
７                      シンセサイザ
ＣＬＫ                  固定クロック
ＲＳＤ                  リサンプルデータ
ＲＳＣ                  リサンプルクロック
１００                  記録媒体
１０１                  光ピックアップ
１０２                  アナログフロントエンド
２０１ａ〜２０１ｌ      フリップフロップ回路（遅延回路）
２０２ａ〜２０２ｋ      乗算器
２０３                  加算器
Ｓａ〜Ｓｋ              タップ係数
【図１】
0004324198.tif 000002
【図２】
0004324198.tif 000003
【図３】
0004324198.tif 000004
【図４】
0004324198.tif 000005
【図５】
0004324198.tif 000006